(57)【要約】【課題】従来の二重管式サンプラー装置においては、コア収納に係る先端部各ツ−ルス間の連結には緩みが生じるためのサンプリング異常が発生しまた方位のわかるコアの採取には不向きである。【解決手段】コア収納に係るツ−ルス間の連結を、採取しようとするコアの方位と同じ向きに連結させる機能と、掘進方向の緩みを防止する機能と、との両機能を有する構成とする。【選択図】図１
2012012919.tif 000002
【特許請求の範囲】
【請求項１】
方位のわかるコアを採取しようとする二重管式サンプラー装置において、コア収納に係るツ−ルス間の連結を、採取しようとするコアの方位と同じ向きに連結させる機能と、掘進方向の緩みを防止する機能と、との両機能を特徴とした装置構成部分
【発明の詳細な説明】
【技術分野】
【０００１】  本発明は、方位のわかるコアを採取する手法において、コア収納のための各組立部材を同じ向きに連結固定したことを特徴とするコアを採取する装置に関する。
【背景技術】
【０００２】  土木・建築分野での構造物構築のための事前調査や災害対策、鉱業における採掘計画立案また学術的地盤研究などの課題を解決するために地盤調査ボーリングが実施される。地下地盤を最も正しく知る手法は、地下トンネルを開削しその壁面において地盤を直接確認する調査トンネル開削法である。これには長い工事期間と多額の費用を伴うため、地盤調査ボーリングは安価でかつ効果的な地質調査手法であるとされる。地盤を乱すことなくかつ連続的に採取されたコアにおいて該地盤の構成が確認され、併せて、方位のわかるコアにおいて地層の層理面や亀裂・鉱脈などの該地盤の面構造の走向傾斜が確認され、この両成果においてのみボーリング孔周辺の地下地盤は確定され得ることとなる。【０００３】  この地盤を乱すことのない連続的なコアの採取と同時に方位のわかるコアを採取する手法は古くより希求されているもののその実現はこれまで難しいとされてきた。しかし、特願２０１０−８８６０の手法が開発され実用化されている。
【先行技術文献】
【特許文献】
【０００４】
【特許文献１】特願２０１０−８８６０
【非特許文献】
【０００５】
【非特許文献１】（株）クリステンセンマイカイ  ＧＷＳシリ−ズカタログ
【非特許文献２】（有）アイジイ工業  製品カタログ  ６６−５０組立図
【発明の概要】
【発明が解決しようとする課題】
【０００６】  図３は、良質なコアの採取を行う場合に使用される公知の二重管式サンプラ−の先端部（例えば、非特許文献１、２  参照）での一般的なコア採取ツ−ルスの配置とその断面図である。【０００７】  切削に係る構成は、先端に掘削チップの埋め込まれたビット（５）とこれを接続する掘削外管（４）である。【０００８】  コア収納に係る構成は、
ａ）、採取終了時にコア先端を地盤より引っ張り破断させるための、コアリフタ（７３）およびそのコアリフタケ−ス（７０）。
ｂ）、コア収納内管（６）内でコアの被覆保護を行う袋状または円筒状のポリエチレンチュ−ブ（７２）とＰＥチュ−ブ収納管（７１）。
ｃ）、ポリエチレンチュ−ブ収納部を回転する掘削外管から保護しかつコア収納内管とコアリフタケ−スを連結するＰＥチュ−ブ収納外管（７３）。
である。これらコア収納に係る構成の部材は円筒形状鋼材で、互いに異径円筒どうしの差し込みにより連結される構造である。【０００９】  一方、コアを採取する作業においては、掘進方向や掘進回転方向に想定外の外力が加わる場合が往々に発生する。この時、上記構成部材間の連結に緩みが生じ、コアリフタケ−スと掘削ビットが接触したりツールス間で異回転となるためにサンプリング障害となりまた方位のわかるコアの採取はできない。
【課題を解決するための手段】
【００１０】  本発明は、方位のわかるコアを採取しようとする装置のコア収納に係る先端ツ−ルス部分において、それらの緩みを防止する機能と、それらの連結の向きを同じ向きとする機能と、との両機能を特徴とする構成である。
【発明の効果】
【００１１】  このことにより、前記先行技術におけるコア収納部における課題が解決され、方位のわかるコアの採取がより確実となる。
【図面の簡単な説明】
【００１２】
【図１】コア収納に係る本発明サンプラ−先端部ツ−ルスの分解説明図
【図２】コア収納に係る本発明サンプラ−先端部ツ−ルスの組み立て説明図
【図３】コア収納に係るサンプラ−先端部ツ−ルスの説明断面図
【図４】コア収納に係るサンプラ−先端部ツ−ルスの連結固定による方位のわかるコアを採取する装置と方法の実施説明図
【発明を実施するための形態】
【００１３】  以降の記載において使用する言葉の定義をここで行う。
ａ）、同一方向とは、円筒表面上の二点の位置関係について、共に円筒の軸芯に対して同じ回転位相が保たれている位置関係であること、若しくは円筒の軸芯方向に直角な回転平面上で同じ向きを示している位置関係であることをいう。
ｂ）、方位連結とは、同軸的に長尺連結する二つ棒状部材の連結の軸回転方向の向きにおいて、同一方向となる連結をいう。例えば方位連結を行なおうとする各部材の上下端付近に軸回転方向の向きにおいて同一方向となる目印を付し、この目印を合わせることで連結された両部材は方位連結となる。
【００１４】  図１は、コア収納に係る本発明サンプラ−先端部各ツ−ルスの分解説明図であり、方位のわかるコアを採取するためには各ツ−ルス間は方位連結される必要がある。該図はその一例であり方位連結キ−（Ｂ）と方位連結キ−受け溝（Ａ）の嵌め合わせによる方位連結の機能と、キ−止めボルト（Ｃ１）とキ−止めネジ（Ｃ２）の螺合により掘進方向の緩みを防止する機能と、との両機能を特徴とした構成である。
【００１５】  図２は、コア収納に係る本発明サンプラ−先端部各ツ−ルスの組み立て説明図である。前段の構成よりなる先端ツ−ルス固定部（Ｄ）により、該図の如くの組み上がり状態となる。
【００１６】  図４は、前記先行技術の手法を基本とした、方位のわかるコアを採取する装置と方法の実施説明図（一部破断正面図）である。この先行技術はコア収納部と地上とを剛性部材により同じ方位に長尺に連結する構成を特徴としており、二重管式サンプラ−装置（ア）内のコア収納に係る先端部分において本手法の構成を用いる。
【００１７】  即ち、方位のわかるコアを採取しようとする二重管式サンプラー装置において、コア収納に係るツ−ルス間の連結を、採取しようとするコアの方位と同じ向きに連結させる機能と、掘進方向の緩みを防止する機能と、との両機能を特徴とした装置構成部分となる。
【００１８】
【産業上の利用可能性】
【００１９】  本発明により、より精度の高い、地盤中の面構造の走向傾斜を知るための方位のわかるコアが良質なコアと同時に採取されることとなる。汎用的なロータリ−式ボーリングマシンによる普通工法とほぼ同様な装置と手順においてボーリング孔周辺の地下地盤を確定し得るため、有益な地盤調査法の一助となる。
【符号の説明】
【００２０】６    コア収納管
１６  方位刻み芯
７０  コアリフタケ−ス
７１  ＰＥチュ−ブ収納管
７２  ポリエチレンチュ−ブ
７３  ＰＥチュ−ブ収納外管
Ａ    方位連結キ−受け溝
Ｂ    方位連結キ−
Ｃ１  キ−止めボルト
Ｃ２  キ−止めネジ
【図１】
2012012919.tif 000003
【図２】
2012012919.tif 000004
【図３】
2012012919.tif 000005
【図４】
2012012919.tif 000006